(57)【要約】【課題】複数の表示装置に対する操作性を向上させることができる表示制御装置および表示制御方法を提供する。【解決手段】実施形態の一態様においては、表示制御装置は、操作受付部と、表示制御部とを備える。操作受付部は、第１表示装置および第２表示装置を含む複数の表示装置のそれぞれに対するユーザの操作を受け付ける。表示制御部は、操作受付部によって第１表示装置に対する操作を受け付けた場合、当該操作に続く操作に関する情報を第２表示装置に表示させる。また、操作受付部は、第１表示装置で受け付けた操作に続く操作を第２表示装置を介して受け付ける。【選択図】図１Ｂ
2019016276.tif 000002
【特許請求の範囲】
【請求項１】
第１表示装置および第２表示装置を含む複数の表示装置のそれぞれに対するユーザの操作を受け付ける操作受付部と、
前記操作受付部によって前記第１表示装置に対する操作を受け付けた場合、当該操作に続く操作に関する情報を前記第２表示装置に表示させる表示制御部と
を備え、
前記操作受付部は、
前記第１表示装置で受け付けた操作に続く操作を前記第２表示装置を介して受け付けること
を特徴とする表示制御装置。
【請求項２】
ユーザの視線を検出する視線検出部
を備え、
前記表示制御部は、
前記視線検出部によって前記視線が前記第１表示装置から前記第２表示装置へ移動したことが検出された場合、前記情報を前記第２表示装置に表示させること
を特徴とする請求項１に記載の表示制御装置。
【請求項３】
前記第１表示装置で受け付けた操作に続く操作を前記第２表示装置を介して受け付けることをユーザに対して通知する通知制御部
を備えることを特徴とする請求項１または２に記載の表示制御装置。
【請求項４】
前記操作受付部は、
前記表示制御部によって前記情報が前記第２表示装置に表示された場合、前記第１表示装置に対する操作の受付を中止すること
を特徴とする請求項１〜３のいずれか一つに記載の表示制御装置。
【請求項５】
前記表示装置に対する操作は、複数の階層に分類され、
前記表示制御部は、
前記複数の階層に分類された操作のうち所定の階層の操作を前記第１表示装置で受け付けた場合、前記所定の階層より下層で当該操作に続く操作に関する情報を前記第２表示装置に表示させるとともに、前記所定の階層を変更可能であること
を特徴とする請求項１〜４のいずれか一つに記載の表示制御装置。
【請求項６】
前記表示制御部は、
前記所定の階層を、前記複数の階層に分類された操作の難易度および前記表示装置が搭載された車両の走行状態の少なくともいずれかに応じて変更すること
を特徴とする請求項５に記載の表示制御装置。
【請求項７】
前記操作受付部は、
前記表示装置が搭載された車両が走行している場合、前記第１表示装置で受け付けた操作に続く操作を前記第２表示装置を介して受け付けることを禁止すること
を特徴とする請求項１〜６のいずれか一つに記載の表示制御装置。
【請求項８】
第１表示装置および第２表示装置を含む複数の表示装置のそれぞれに対するユーザの操作を受け付ける操作受付工程と、
前記操作受付工程によって前記第１表示装置に対する操作を受け付けた場合、当該操作に続く操作に関する情報を前記第２表示装置に表示させる表示制御工程と
を含み、
前記操作受付工程は、
前記第１表示装置で受け付けた操作に続く操作を前記第２表示装置を介して受け付けること
を特徴とする表示制御方法。
【発明の詳細な説明】
【技術分野】
【０００１】
本発明は、表示制御装置および表示制御方法に関する。
【背景技術】
【０００２】
従来、例えば車両には、ナビゲーションやオーディオなどに関する情報を表示する表示装置が搭載されている。近年、かかる表示装置は、車両に複数搭載されることがある（例えば特許文献１参照）。
【先行技術文献】
【特許文献】
【０００３】
【特許文献１】特開２００６−３７８７号公報
【発明の概要】
【発明が解決しようとする課題】
【０００４】
ところで、上記した複数の表示装置にあっては、情報を表示させる位置や表示画面の大きさなどによって特性が互いに異なる。しかしながら、従来技術には、表示装置が複数ある場合に、表示装置のそれぞれの特性に応じて情報を表示させ、表示装置に対する操作性を向上させるという点で改善の余地があった。
【０００５】
本発明は、上記に鑑みてなされたものであって、複数の表示装置に対する操作性を向上させることができる表示制御装置および表示制御方法を提供することを目的とする。
【課題を解決するための手段】
【０００６】
上記課題を解決し、目的を達成するために、本発明は、表示制御装置において、操作受付部と、表示制御部とを備える。操作受付部は、第１表示装置および第２表示装置を含む複数の表示装置のそれぞれに対するユーザの操作を受け付ける。表示制御部は、前記操作受付部によって前記第１表示装置に対する操作を受け付けた場合、当該操作に続く操作に関する情報を前記第２表示装置に表示させる。また、前記操作受付部は、前記第１表示装置で受け付けた操作に続く操作を前記第２表示装置を介して受け付ける。
【発明の効果】
【０００７】
本発明によれば、複数の表示装置に対する操作性を向上させることができる。
【図面の簡単な説明】
【０００８】
【図１Ａ】図１Ａは、第１の実施形態に係る表示制御方法の概要説明図である。
【図１Ｂ】図１Ｂは、第１の実施形態に係る表示制御方法の概要説明図である。
【図２】図２は、第１の実施形態における表示システムの構成例を示すブロック図である。
【図３】図３は、階層情報を説明する図である。
【図４】図４は、表示制御装置が実行する処理手順を示すフローチャートである。
【図５】図５は、第２の実施形態に係る表示制御方法の概要説明図である。
【図６】図６は、第２の実施形態に係る表示制御装置が実行する処理手順を示すフローチャートである。
【図７】図７は、変形例に係る表示制御方法の概要説明図である。
【図８】図８は、変形例に係る表示制御装置が実行する処理手順を示すフローチャートである。
【発明を実施するための形態】
【０００９】
以下、添付図面を参照して、本願の開示する表示制御装置および表示制御方法の実施形態を詳細に説明する。なお、以下に示す実施形態によりこの発明が限定されるものではない。
【００１０】
（第１の実施形態）
＜１．第１の実施形態に係る表示制御方法の概要＞
以下では先ず、第１の実施形態に係る表示制御方法の概要について図１Ａおよび図１Ｂを参照して説明する。図１Ａおよび図１Ｂは、第１の実施形態に係る表示制御方法の概要説明図である。
【００１１】
図１Ａに示すように、第１の実施形態に係る表示制御方法は、例えば自動車などの車両１に搭載された表示制御装置１０によって実行される。車両１には、表示制御装置１０に加え、表示装置４０と、撮像部６２とが搭載される。
【００１２】
表示装置４０は、複数である。なお、図１Ａに示す例では、表示装置４０は３つであるが、これに限定されるものではなく、例えば２つまたは４つ以上であってもよい。
【００１３】
複数の表示装置４０はそれぞれ、例えばナビゲーションやオーディオなどに関する情報、車速等の運転状況に関する情報など種々の情報を表示可能なディスプレイである。例えば、複数の表示装置４０は、ヘッドアップディスプレイ４１（以下、「ＨＵＤ（Head-Up  Display）４１」と記載する場合がある）と、メータディスプレイ４２と、センタディスプレイ４３とを含む。
【００１４】
ＨＵＤ４１は、車室２内の適宜位置に取り付けられ、例えば車両１前方のフロントガラス３に情報を含む画像を映し出す。これにより、ＨＵＤ４１は、運転中のユーザ（ドライバ）の視野内に情報を表示することができる。
【００１５】
メータディスプレイ４２およびセンタディスプレイ４３は、例えばインストルメントパネル４に取り付けられ、各種情報を表示する。具体的には、メータディスプレイ４２はインストルメントパネル４において運転席の正面付近に、センタディスプレイ４３はインストルメントパネル４の中央付近で、運転席と助手席との間に対応する位置に取り付けられる。なお、上記したＨＵＤ４１、メータディスプレイ４２およびセンタディスプレイ４３の取付位置は、あくまでも例示であって限定されるものではない。
【００１６】
表示制御装置１０は、複数の表示装置４０の制御などを行う。なお、表示制御装置１０の詳しい構成については、図２を参照して後述する。
【００１７】
撮像部６２は、車室２の適宜位置に設けられ、ユーザを撮像する。撮像部６２は、後述するように、ユーザの視線検出に利用されるため、ユーザの顔を含む画像、換言すると、ユーザの視線に関する画像を撮像し、かかる画像情報を表示制御装置１０へ出力する。
【００１８】
ところで、上記した複数の表示装置４０にあっては、情報を表示させる位置や表示画面の大きさなどによって特性が互いに異なる。例えばＨＵＤ４１は、ユーザたるドライバの視野内に情報を表示させるため、ドライバにとって運転中でも情報を視認しつつ操作できるという特性を有している。また、メータディスプレイ４２やセンタディスプレイ４３は、表示画面が比較的大きいため、ユーザにとって多くの情報を視認しつつ操作できるといった特性を有している。
【００１９】
そこで、本実施形態に係る表示制御装置１０にあっては、表示装置４０が複数ある場合に、表示装置４０のそれぞれの特性に応じて情報を表示させることで、各表示装置４０に対する操作性を向上させることができる構成とした。以下、かかる構成について詳しく説明する。なお、以下では、複数の表示装置４０のうち、ヘッドアップディスプレイ４１およびメータディスプレイ４２に対し、ナビゲーションに関する情報を表示させる場合を例に挙げて説明する。
【００２０】
図１Ｂに示すように、表示制御装置１０（図１Ａ参照）は、例えばレストラン検索など目的地の検索指示がユーザによってなされると、後述する地図情報などに基づいて車両１近くにあるレストランの名称などを目的地候補の情報４２ａとしてメータディスプレイ４２に表示させる（ステップＳ１）。なお、図１Ｂの例では、目的地候補の情報４２ａは複数あり、目的地候補の情報４２ａとしてレストランＡ〜Ｄが表示されるものとする。
【００２１】
なお、上記したユーザの検索指示は、例えば、ハンドル５に設けられた操作部６１（図１Ａ参照。ステアリングリモコン）を介して行われたり、ユーザの音声を認識する技術を用いて行われたりするが、これらに限られるものではない。また、メータディスプレイ４２には、目的地候補の情報４２ａの他に、車速の情報４２ｂや現在のシフトポジションの情報４２ｃなどが表示されてもよい。
【００２２】
メータディスプレイ４２は、例えばＨＵＤ４１に比べて表示画面が大きいため、多くの目的地候補の情報４２ａを一覧で表示することが可能である。これにより、ユーザは、多くの目的地候補の情報４２ａを一覧で視認しながら、目的地候補を選択する操作を行うことができる。
【００２３】
そして、表示制御装置１０は、ユーザによる目的地候補の選択操作を受け付ける（ステップＳ２）。なお、表示制御装置１０における選択操作の受け付けは、例えばユーザによる操作部６１（図１Ａ参照）の操作や音声認識により行われるが、これらに限定されるものではない。図１Ｂの例では、太枠で示すように、レストランＡ〜Ｄのうち、レストランＢに関する目的地候補の情報４２ａがユーザによって選択されたものとする。
【００２４】
なお、ここでの選択操作は、複数の目的地候補の情報４２ａの中から目的地候補を選択するだけの操作を意味し、目的地を決定する操作までは含まれないものとする。従って、ユーザは、目的地候補を選択する操作に続き、目的地を最終的に決定する操作（後述）を行う。
【００２５】
次いで、表示制御装置１０は、撮像部６２から出力された画像情報に基づいてユーザの視線の検出を行う（ステップＳ３）。詳しくは、表示制御装置１０は、ユーザの視線を検出し、視線がメータディスプレイ４２からＨＵＤ４１へ移動したか否かを判定する。
【００２６】
すなわち、ユーザの視線が上記のように移動した場合、表示制御装置１０は、メータディスプレイ４２に対して行った目的地候補の選択操作に続く操作（ここでは目的地の決定操作）を、ＨＵＤ４１で行うことをユーザが所望していると推定する。従って、表示制御装置１０は、視線がメータディスプレイ４２からＨＵＤ４１へ移動したことが検出された場合、メータディスプレイ４２で選択された目的地候補の情報をＨＵＤ４１に表示させる（ステップＳ４）。
【００２７】
選択された目的地候補の情報には、例えば目的地候補の到着予想時間や、目的地候補（ここではレストランＢ）の画像などが含まれるが、これらは例示であって限定されるものではない。すなわち、選択された目的地候補の情報には、例えば、目的地候補までの距離、目的地候補であるレストランＢの電話番号、口コミ、評価の情報など、その他各種の情報が含まれてもよい。このように、選択された目的地候補の情報は、決定操作の参考となり得る情報が含まれており、選択操作に続く決定操作に関する情報の一例である。
【００２８】
また、ＨＵＤ４１は、ユーザのフロントガラス３を通じた視野内に情報を表示させるため、ユーザは運転中でも目的地候補の情報を視認しつつ、目的地の決定操作を行うことができる。
【００２９】
そして、表示制御装置１０は、ユーザによる目的地の決定操作を受け付ける（ステップＳ５）。なお、表示制御装置１０における決定操作の受け付けは、例えばユーザによる操作部６１（図１Ａ参照）の操作や音声認識により行われるが、これらに限定されるものではない。
【００３０】
また、図示は省略するが、表示制御装置１０は、目的地の決定操作が行われると、決定した目的地までの経路を算出し、算出された経路を例えばメータディスプレイ４２やセンタディスプレイ４３に表示させてナビゲーション処理を行う。
【００３１】
このように、本実施形態に係る表示制御装置１０は、例えばメータディスプレイ４２に対する操作（選択操作）を受け付けた場合、当該操作に続く操作（決定操作）に関する情報をＨＵＤ４１に表示させる。そして、表示制御装置１０は、メータディスプレイ４２で受け付けた操作（選択操作）に続く操作（決定操作）をＨＵＤ４１を介して受け付けるようにした。言い換えると、表示制御装置１０は、例えばメータディスプレイ４２に対する操作を受け付けた後、当該操作に続く操作の受け付けをＨＵＤ４１に引き継がせるようにした。  
【００３２】
これにより、本実施形態にあっては、ＨＵＤ４１やメータディスプレイ４２など複数の表示装置４０のそれぞれの特性に応じて情報を表示させることが可能となり、よって各表示装置４０に対する操作性を向上させることができる。
【００３３】
なお、上記では、表示制御装置１０は、ユーザの視線移動が検出された場合に、決定操作に関する情報をＨＵＤ４１に表示させるようにしたが、これに限られない。すなわち、表示制御装置１０は、例えば「フロントガラスに表示して」など、ユーザがＨＵＤ４１を用いた決定操作を所望していることを示す音声を認識した場合、決定操作に関する情報をＨＵＤ４１に表示させてもよい。
【００３４】
また、上記では、ユーザがドライバである場合を例にとって説明したが、これに限られず、他の同乗者であってもよい。
【００３５】
＜２．表示制御装置を備えた表示システムの構成＞
次に、図２を用いて、第１の実施形態に係る表示制御装置１０を備えた表示システム１００の構成を説明する。図２は、第１の実施形態における表示システム１００の構成例を示すブロック図である。なお、図２では、本実施形態の特徴を説明するために必要な構成要素のみを機能ブロックで表しており、一般的な構成要素についての記載を省略している。
【００３６】
換言すれば、図２に図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。
【００３７】
図２に示すように、本実施形態に係る表示システム１００は、上記した表示制御装置１０と、表示装置４０と、操作部６１と、撮像部６２と、車載センサ群６３と、通信部６４と、コンテンツ入力部６５と、スピーカ６６とを備える。
【００３８】
表示装置４０は、上記したようにＨＵＤ４１と、メータディスプレイ４２と、センタディスプレイ４３とを含むが、これに限られず、例えば車室２（図１Ａ参照）の天井に取り付けられるディスプレイなどその他の表示装置を含んでもよい。また、本実施形態では、表示装置４０は複数であればよいため、ＨＵＤ４１、メータディスプレイ４２およびセンタディスプレイ４３のうちの一つを除去してもよい。
【００３９】
操作部６１は、ユーザによって操作された場合、かかる操作内容を示す信号を表示制御装置１０の制御部２０（後述）へ出力する。例えば、操作部６１は、目的地候補の情報が表示されているメータディスプレイ４２に対し、ユーザによって目的地候補を選択する選択操作がなされた場合、選択された目的地候補を示す信号を制御部２０へ出力する。
【００４０】
なお、操作部６１としては、上記したステアリングリモコンを用いることができるが、これに限定されるものではない。例えば、センタディスプレイ４３等がタッチパネルを備える場合、タッチパネルが操作部６１として機能することとなる。
【００４１】
撮像部６２は、上記したように、ユーザの視線に関する画像を撮像し、画像情報を表示制御装置１０の制御部２０へ出力する。なお、撮像部６２としては、車載カメラなどを用いることができる。
【００４２】
車載センサ群６３は、車両１の走行状態を検出する各種のセンサを含む。例えば、車載センサ群６３は、車速を検出する車速センサや、シフトポジションを検出するシフトポジションセンサ、車両１の外方（周辺）に存在する他の車両や道路標識等の対象物を撮像するカメラなどを含むが、これらに限定されるものではない。車載センサ群６３は、得られた車速やシフトポジションなどを示す信号を表示制御装置１０の制御部２０へ出力する。
【００４３】
通信部６４は、例えばＧＰＳ（Global  Positioning  System）衛星と通信して得られる信号に基づき、自車の現在位置を検出して現在位置の情報として制御部２０へ出力する。また、通信部６４は、インターネットなどの通信ネットワークに接続され、例えば目的地候補に関する情報など各種の情報を取得して制御部２０へ出力する。
【００４４】
コンテンツ入力部６５には、例えばＣＤ（Compact  Disc）の音楽やＤＶＤ（Digital  Versatile  Disc）の映像などのコンテンツ情報が入力され、入力されたコンテンツ情報を制御部２０へ出力する。コンテンツ入力部６５としては、ＣＤやＤＶＤを再生する装置を用いることができる。
【００４５】
スピーカ６６は、車室２（図１Ａ）の適宜位置に配置される。そして、スピーカ６６は、後述するユーザに対する通知に関する音声を出力する。
【００４６】
表示制御装置１０は、制御部２０と、記憶部３０とを備える。制御部２０は、操作受付部２１と、視線検出部２２と、表示制御部２３と、通知制御部２４とを備え、ＣＰＵ（Central  Processing  Unit）などを有するマイクロコンピュータである。
【００４７】
また、記憶部３０は、不揮発性メモリやハードディスクドライブといった記憶デバイスで構成される記憶部であり、地図情報３１と、階層情報３２とを記憶する。
【００４８】
地図情報３１には、例えば、道路データ、レストランや公園等の施設データなどナビゲーション機能に必要な各種情報が含まれる。なお、地図情報３１には、通信部６４によって得られた目的地候補に関する情報（例えば、目的地候補となり得るレストランの口コミや評価に関する情報）が含まれてもよい。
【００４９】
階層情報３２は、表示装置４０に対する操作を複数の階層に分類した情報である。図３は、階層情報３２を説明する図である。図３に示すように、表示装置４０に対する操作は、第１階層、第２階層、第３階層など複数の階層に分類される。なお、図３に示す例では、階層情報３２における階層の数を３つとしたが、これに限られず、２つまたは４つ以上など任意の数に設定することができる。
【００５０】
第１階層には、表示装置４０に対して最初に行われる操作（操作内容１）が対応付けられている。具体的には、例えば、ナビゲーションの情報を表示装置４０に表示させる場合、第１階層の操作内容１は、目的地候補の選択操作である。
【００５１】
第２階層には、第１階層の操作に続く操作（操作内容２−１、２−２）が対応付けられている。例えば、第１階層の操作内容１が目的地候補の選択操作である場合、第２階層の操作内容２−１、２−２は、目的地の決定操作である。
【００５２】
第３階層には、第２階層の操作に続く操作（操作内容３−１〜３−４）が対応付けられている。例えば、第２階層の操作内容２−１、２−２が目的地の決定操作である場合、第３階層の操作内容３−１〜３−４は、目的地までの経路の途中に寄りたい経由地の設定操作などである。なお、上記では、操作内容１、２−１、２−２、３−１〜３−４について具体的に示したが、これらはあくまでも例示であって限定されるものではない。
【００５３】
また、階層情報３２には、第１階層から第３階層までの各操作に対し、操作の難易度が対応付けられてもよい。かかる難易度は、例えば操作の複雑さの度合いを示す。具体的には、例えばユーザが表示装置４０を注視して行うような操作は、難易度が比較的高く設定される一方、ユーザが表示装置４０を注視せずとも行うことができるような操作は、難易度が比較的低く設定される。
【００５４】
表示制御装置１０は、上記のように構成された階層情報３２に基づいて、表示装置４０に対する制御を行うが、これについては後述する。
【００５５】
図２の説明に戻ると、制御部２０の操作受付部２１は、各表示装置４０のそれぞれに対するユーザの操作を操作部６１を介して受け付ける。具体的には、操作受付部２１は、ユーザの操作部６１への操作内容を示す信号を受け付け、受け付けた信号を表示制御部２３へ出力する。
【００５６】
視線検出部２２は、撮像部６２によって撮像されたユーザの画像を取得し、かかる画像に対する画像解析処理を行ってユーザの視線を検出する。例えば、視線検出部２２は、ユーザの画像におけるユーザの頭部の向きや目の位置を、予め記憶部３０に記憶された基準画像と比較し、ユーザの視線が何処に向いているかを検出してもよい。
【００５７】
なお、例えば、撮像部６２が赤外線カメラおよび赤外線ＬＥＤを備えるように構成し、視線検出部２２は、赤外線カメラで撮像した画像に基づいてユーザの視線を検出してもよい。具体的には、視線検出部２２は、赤外線ＬＥＤで照らしたユーザの顔を赤外線カメラで撮像することによって得られる赤外画像中の瞳孔と、眼球上に生じる赤外照明反射像との位置関係に基づき、ユーザの視線を検出してもよい。
【００５８】
そして、視線検出部２２は、検出されたユーザの視線を示す情報を表示制御部２３へ出力する。なお、上記したユーザの視線を検出する手法は、あくまでも例示であって限定されるものではない。
【００５９】
表示制御部２３は、複数の表示装置４０のうち一つの表示装置４０に対する操作を受け付けた場合、かかる操作に続く操作に関する情報を他の表示装置４０に表示させる。例えば、表示制御部２３は、メータディスプレイ４２に対して目的地候補の選択操作を受け付けた場合、選択操作に続く操作である目的地の決定操作に関する情報をＨＵＤ４１に表示させる。
【００６０】
そして、決定操作に関する情報がＨＵＤ４１に表示されると、操作受付部２１は、メータディスプレイ４２で受け付けた目的地候補の選択操作に続く目的地の決定操作を、ＨＵＤ４１を介して受け付ける。
【００６１】
本実施形態では、このようにＨＵＤ４１やメータディスプレイ４２の表示制御が行われることで、ＨＵＤ４１など複数の表示装置４０に対する操作性を向上させることができることは、既に述べた通りである。
【００６２】
また、表示制御部２３は、視線検出部２２によってユーザの視線が、例えば選択操作を行ったメータディスプレイ４２からＨＵＤ４１へ移動したことが検出された場合、選択操作に続く決定操作に関する情報をＨＵＤ４１に表示させてもよい。
【００６３】
このように、本実施形態では、ユーザの視線がＨＵＤ４１へ移動し、ユーザが目的地の決定操作をＨＵＤ４１で行うことを所望していると推定される場合、かかる決定操作に関する情報をＨＵＤ４１に表示させるようにした。これにより、表示制御部２３は、ユーザの意図に即した表示制御を行うことができ、よって表示装置４０に対する操作性をより向上させることができる。
【００６４】
また、操作受付部２１は、例えば表示制御部２３によって決定操作に関する情報がＨＵＤ４１に表示された場合、メータディスプレイ４２に対する操作の受付を中止してもよい。すなわち、操作受付部２１は、選択操作に続く操作である決定操作をメータディスプレイ４２を介して受け付けないようにしてもよい。
【００６５】
これにより、表示装置４０に対する操作性をより一層向上させることができる。すなわち、決定操作に関する情報がＨＵＤ４１に表示された後に、メータディスプレイ４２およびＨＵＤ４１の両方で決定操作を受け付けると、ユーザはどちらを操作すべきか迷ってしまうおそれがある。そこで、本実施形態では、メータディスプレイ４２に対する操作の受付を中止することで、ユーザが操作に迷うことを防止でき、結果として表示装置４０に対する操作性をより一層向上させることができる。なお、上記した操作の受付中止は、メータディスプレイ４２における表示を中止することで行われてもよい。
【００６６】
また、表示制御部２３は、上記した階層情報３２（図３参照）に基づいて表示装置４０に対する制御を行ってもよい。例えば、表示制御部２３は、複数の階層に分類された操作のうち所定の階層の操作（ここでは第１階層の操作内容１）をメータディスプレイ４２で受け付けた場合、所定の階層より下層で当該操作に続く操作（ここでは第２階層の操作内容２−１、２−２）に関する情報をＨＵＤ４１に表示させる。
【００６７】
ここで、表示制御部２３は、上記した所定の階層を変更してもよい。例えば、表示制御部２３は、所定の階層を車両１の走行状態に応じて変更してもよい。すなわち、表示制御部２３は、例えば車載センサ群６３の車速センサの出力に基づいて車両１が走行中であると判定される場合、メータディスプレイ４２での操作からＨＵＤ４１での操作に早期に切り替えた方が良いため、所定の階層は「第１階層」に設定される。これにより、運転中のユーザは、視野内に情報を表示するＨＵＤ４１を介して目的地の決定操作などを行うことができる。
【００６８】
他方、表示制御部２３は、例えば車速センサの出力に基づいて車両１が停止中であると判定される場合、ＨＵＤ４１での操作に早期に切り替えることを要しないため、所定の階層は「第２階層」に変更される。これにより、ユーザは、例えば目的地の決定操作などをメータディスプレイ４２を介して行った後、走行を開始し、走行中に第３階層の操作である経由地の設定操作などをＨＵＤ４１を介して行うことができる。このように、表示制御部２３は、所定の階層を変更することで、表示装置４０の操作を走行状態に即して行うことが可能となる。
【００６９】
なお、上記では、所定の階層を車両１の走行状態に応じて変更したが、これに限定されるものではない。例えば、表示制御部２３は、所定の階層を、各階層に分類された操作の難易度に応じて変更してもよい。
【００７０】
例えば、ＨＵＤ４１で操作を受け付け、かかる操作に続く操作をメータディスプレイ４２で受け付けるような場合、表示制御部２３は、難易度が高く、表示できる情報量が少ないＨＵＤ４１では操作が複雑になりすぎて操作が難しいとされる操作内容が対応付けられている階層より上層にある階層を、所定の階層として設定してもよい。これにより、ユーザは、難易度の低い操作をＨＵＤ４１で行い、かかる操作に続くとともに難易度の高く複雑な操作をメータディスプレイ４２で行うことが可能となる。
【００７１】
また、上記した難易度は操作内容に応じて変わるため、所定の階層も難易度に応じて変更されることとなる。これにより、表示制御部２３は、所定の階層を操作の難易度に応じて変更することで、ユーザは難易度に適した表示装置４０で操作を行うことが可能となる。また、これにより、ユーザが操作に没頭してしまい、運転への注意が疎かになることを防止することができる。
【００７２】
また、表示制御部２３は、上記したように、メータディスプレイ４２での選択操作に続く目的地の決定操作に関する情報をＨＵＤ４１に表示させるが、かかる情報を例えば前方を走行する先行車に重畳あるいは近接させて表示させてもよい。これにより、表示制御部２３は、ユーザに対して走行中に注意して見るべき場所を認識させることができる。なお、注意して見るべき場所は、上記した先行車に限られず、例えば道路標識や歩行者などその他の場所であってもよい。また、表示制御部２３は、先行車や歩行者など注意して見るべき場所の情報を、車載センサ群６３のカメラから取得してもよい。
【００７３】
また、表示制御部２３は、例えば、視線検出部２２の出力に基づいてユーザの視線がメータディスプレイ４２にあって目的地候補の選択操作を行っていると推定され、かつ、地図情報３１や車載センサ群６３のカメラの情報に基づいて例えば車両１が人通りの多い道に進入しようとしている場合、メータディスプレイ４２に表示されている目的地候補の情報をＨＵＤ４１に表示させてもよい。これにより、表示制御部２３は、ユーザに対して前方の道を見るように誘導することができる。なお、表示制御部２３は、ＨＵＤ４１に表示させる際、目的地候補の情報の量を、メータディスプレイ４２に表示されていた情報の量に比べて減少させるようにしてもよい。
【００７４】
また、表示制御部２３は、ＨＵＤ４１に情報を表示させる際、車両１が赤信号などで停止している場合に限って表示させるようにしてもよい。これにより、表示制御部２３は、ＨＵＤ４１に表示した情報をユーザに対して確実に認識させることができる。
【００７５】
また、表示制御部２３は、コンテンツ入力部６５から入力されたコンテンツ情報を適宜な表示装置４０に表示させる。かかるコンテンツ情報は、ＣＤの音楽情報やＤＶＤの映像情報を含むが、これらに限定されるものではない。
【００７６】
通知制御部２４は、複数の表示装置４０のうち一つの表示装置４０で受け付けた操作に続く操作を他の表示装置４０を介して受け付けることをユーザに対して通知する。例えば、通知制御部２４は、メータディスプレイ４２で受け付けた操作に続く操作をＨＵＤ４１を介して受け付けることをユーザに通知する。
【００７７】
詳しくは、通知制御部２４は、例えば「以降の操作はヘッドアップディスプレイで行って下さい」などの音声をスピーカ６６を介して出力することで、ユーザへの通知を行う。これにより、通知制御部２４は、ＨＵＤ４１を介して操作を行うべきことをユーザに対して効果的に認識させることができる。また、これにより、ユーザがいつまでもメータディスプレイ４２を見続けてしまい、前方への注意が疎かになることを防止することができる。
【００７８】
＜３．第１の実施形態に係る表示制御装置の表示制御処理＞
次に、表示制御装置１０が表示装置４０の表示を制御する具体的な処理手順について図４を用いて説明する。図４は、表示制御装置１０が実行する処理手順を示すフローチャートである。
【００７９】
図４に示すように、表示制御装置１０の制御部２０は、目的地の検索指示があったか否かを判定する（ステップＳ１０）。制御部２０は、目的地の検索指示がないと判定された場合（ステップＳ１０，Ｎｏ）、ステップＳ１０の処理を繰り返す。
【００８０】
一方、制御部２０は、目的地の検索指示があったと判定された場合（ステップＳ１０，Ｙｅｓ）、例えばメータディスプレイ４２に目的地候補の情報を表示する（ステップＳ１１）。
【００８１】
次いで、制御部２０は、目的地候補の選択操作をメータディスプレイ４２を介して受け付ける（ステップＳ１２）。続いて、制御部２０は、ユーザの視線がメータディスプレイ４２からＨＵＤ４１へ移動したか否かを判定する（ステップＳ１３）。
【００８２】
制御部２０は、ユーザの視線がＨＵＤ４１に移動していないと判定された場合（ステップＳ１３，Ｎｏ）、ステップＳ１３の処理を繰り返す。他方、制御部２０は、ユーザの視線がＨＵＤ４１に移動したと判定された場合（ステップＳ１３，Ｙｅｓ）、選択された目的地候補に関する情報をＨＵＤ４１に表示させる（ステップＳ１４）。続いて、制御部２０は、目的地の決定操作をＨＵＤ４１を介して受け付ける（ステップＳ１５）。
【００８３】
上述してきたように、第１の実施形態に係る表示制御装置１０は、操作受付部２１と、表示制御部２３とを備える。操作受付部２１は、メータディスプレイ４２（第１表示装置の一例）およびＨＵＤ４１（第２表示装置の一例）を含む複数の表示装置４０のそれぞれに対するユーザの操作を受け付ける。表示制御部２３は、操作受付部２１によってメータディスプレイ４２に対する操作を受け付けた場合、当該操作に続く操作に関する情報をＨＵＤ４１に表示させる。また、操作受付部２１は、メータディスプレイ４２で受け付けた操作に続く操作をＨＵＤ４１を介して受け付ける。これにより、複数の表示装置４０に対する操作性を向上させることができる。
【００８４】
（第２の実施形態）
＜４．第２の実施形態に係る表示制御方法の概要＞
次いで、第２の実施形態について説明する。第２の実施形態にあっては、ＨＵＤ４１およびメータディスプレイ４２に対し、例えばコンテンツ情報に含まれる音楽情報において楽曲を選択する場合を例に挙げて説明する。
【００８５】
図５は、第２の実施形態に係る表示制御方法の概要説明図である。なお、以下においては、第１の実施形態と共通の構成については、同一の符号を付して説明を省略する。
【００８６】
図５に示すように、例えば楽曲検索など検索指示がユーザによってなされると、表示制御装置１０は、コンテンツ情報に含まれる音楽情報に基づいて曲名のインデックスに関する情報をＨＵＤ４１に表示させる（ステップＳ２１）。なお、図５の例では、インデックスとして、曲名の頭文字がアルファベット順に並んで表示されるものとする。
【００８７】
上記したユーザの検索指示は、例えば、図示しないオーディオスイッチ（操作部６１の一例）などの押下で行われたり、ユーザの音声を認識する技術を用いて行われたりするが、これらに限られるものではない。
【００８８】
ＨＵＤ４１は、ユーザのフロントガラス３を通じた視野内に情報を表示させるため、ユーザは運転中でも曲名のインデックスの情報を視認しつつ、インデックスの選択操作を行うことができる。
【００８９】
そして、表示制御装置１０は、ユーザによるインデックスの選択操作を受け付ける（ステップＳ２２）。なお、図５の例では、太枠で示すように、インデックスの中からアルファベットの「Ａ」がユーザによって選択されたものとする。
【００９０】
なお、ここでの選択操作は、複数のインデックスの中から曲名候補となるアルファベットを選択するだけの操作を意味し、曲名を選択する操作や決定する操作までは含まれないものとする。従って、ユーザは、インデックスを選択する操作に続き、曲名を選択、決定する操作（後述）を行う。
【００９１】
次いで、表示制御装置１０は、ユーザの視線の検出を行う（ステップＳ２３）。詳しくは、表示制御装置１０は、ユーザの視線を検出し、視線がＨＵＤ４１からメータディスプレイ４２へ移動したか否かを判定する。
【００９２】
すなわち、視線が上記のように移動した場合、表示制御装置１０は、ＨＵＤ４１に対して行ったインデックスの選択操作に続く操作（ここでは曲名の選択、決定操作）を、メータディスプレイ４２で行うことをユーザが所望していると推定する。従って、表示制御装置１０は、視線がＨＵＤ４１からメータディスプレイ４２へ移動したことが検出された場合、ＨＵＤ４１で選択されたインデックスと対応する曲名候補の情報１４２ａをメータディスプレイ４２に表示させる（ステップＳ２４）。
【００９３】
メータディスプレイ４２は、例えばヘッドアップディスプレイ４１に比べて表示画面が大きいため、多くの曲名候補の情報１４２ａを一覧で表示することが可能である。これにより、ユーザは、多くの曲名候補の情報１４２ａを一覧で視認しながら、曲名を選択、決定する操作を行うことができる。
【００９４】
そして、表示制御装置１０は、ユーザによる曲名の選択および決定操作を受け付ける（ステップＳ２５）。なお、図５に示す例では、太枠で示すように、曲名Ａ２がユーザによって選択、決定されたものとする。続いて、表示制御装置１０は、決定した曲名Ａ２の音声をスピーカ６６などから出力する。
【００９５】
このように、第２の実施形態に係る表示制御装置１０は、例えばＨＵＤ４１に対する操作（選択操作）を受け付けた場合、当該操作に続く操作（決定操作）に関する情報をメータディスプレイ４２に表示させる。そして、表示制御装置１０は、ＨＵＤ４１で受け付けた操作（選択操作）に続く操作（決定操作）をメータディスプレイ４２を介して受け付けるようにした。言い換えると、第２の実施形態に係る表示制御装置１０は、例えばＨＵＤ４１に対する操作を受け付けた後、当該操作に続く操作の受け付けをメータディスプレイ４２に引き継がせるようにした。
【００９６】
これにより、第２の実施形態にあっては、第１の実施形態と同様、ＨＵＤ４１やメータディスプレイ４２など複数の表示装置４０のそれぞれの特性に応じて情報を表示させることが可能となり、よって各表示装置４０に対する操作性を向上させることができる。
【００９７】
なお、上記では、表示制御装置１０は、ユーザの視線移動が検出された場合に、曲名候補の情報の表示をメータディスプレイ４２に表示させるようにしたが、これに限られない。すなわち、表示制御装置１０は、例えば「メータディスプレイに曲名表示して」など、ユーザがメータディスプレイ４２を用いた選択および決定操作を所望していることを示す音声を認識した場合、選択および決定操作に関する情報の表示をメータディスプレイ４２に表示させてもよい。
【００９８】
＜５．第２の実施形態に係る表示制御装置の表示制御処理＞
次に、第２の実施形態に係る表示制御装置１０が表示装置４０の表示を制御する具体的な処理手順について図６を用いて説明する。図６は、第２の実施形態に係る表示制御装置１０が実行する処理手順を示すフローチャートである。
【００９９】
図６に示すように、表示制御装置１０の制御部２０は、楽曲の検索指示があったか否かを判定する（ステップＳ３０）。制御部２０は、楽曲の検索指示がないと判定された場合（ステップＳ３０，Ｎｏ）、ステップＳ３０の処理を繰り返す一方、楽曲の検索指示があったと判定された場合（ステップＳ３０，Ｙｅｓ）、例えばＨＵＤ４１に曲名のインデックスの情報を表示する（ステップＳ３１）。
【０１００】
次いで、制御部２０は、インデックスの選択操作をＨＵＤ４１を介して受け付ける（ステップＳ３２）。続いて、制御部２０は、ユーザの視線がＨＵＤ４１からメータディスプレイ４２へ移動したか否かを判定する（ステップＳ３３）。
【０１０１】
制御部２０は、ユーザの視線がメータディスプレイ４２に移動していないと判定された場合（ステップＳ３３，Ｎｏ）、ステップＳ３３の処理を繰り返す。他方、制御部２０は、ユーザの視線がメータディスプレイ４２に移動したと判定された場合（ステップＳ３３，Ｙｅｓ）、選択されたインデックスの曲名候補に関する情報をメータディスプレイ４２に表示させる（ステップＳ３４）。続いて、制御部２０は、曲名の選択および決定操作をメータディスプレイ４２を介して受け付ける（ステップＳ３５）。
【０１０２】
なお、上記した第２の実施形態にあっては、楽曲の検索を例に挙げて説明したが、これに限定されるものではない。すなわち、制御部２０は、例えば通信部６４を介して車両周辺のおすすめスポット情報の通知など、所謂プッシュ通知がなされた場合、かかるプッシュ通知の概略的な情報を、ＨＵＤ４１に表示させるようにしてもよい。そして、制御部２０は、ユーザの視線がＨＵＤ４１からメータディスプレイ４２へ移動した場合に、プッシュ通知の詳細な情報をメータディスプレイ４２に表示させるようにしてもよい。
【０１０３】
このように、制御部２０は、ユーザの視線がメータディスプレイ４２へ移動し、ユーザがプッシュ通知の続きの情報を所望していると推定される場合、かかる情報をメータディスプレイ４２に表示させるようにしてもよい。これにより、制御部２０は、ユーザの意図に即した表示制御を行うことができ、よって表示装置４０に対する操作性をより向上させることができる。
【０１０４】
（変形例）
＜６．変形例に係る表示制御方法の概要＞
次いで、第２の実施形態の変形例について説明する。変形例に係る表示制御装置１０にあっては、例えばＨＵＤ４１に対する操作を受け付けた後、車両１の走行状態に基づき、当該操作に続く操作の受け付けをメータディスプレイ４２に引き継がせる処理を行うようにした。
【０１０５】
変形例にあっては、ＨＵＤ４１およびメータディスプレイ４２に対し、例えばコンテンツ情報に含まれる音楽情報において楽曲を選択する場合を例に挙げて説明する。図７は、変形例に係る表示制御方法の概要説明図である。なお、図７は、図５に対応する図である。
【０１０６】
図７に示すように、例えば楽曲検索など検索指示がユーザによってなされると、表示制御装置１０は、曲名のインデックスに関する情報をＨＵＤ４１に表示させ（ステップＳ２１）、続いてユーザによるインデックスの選択操作を受け付ける（ステップＳ２２）。
【０１０７】
そして、表示制御装置１０の操作受付部２１（図２参照）は、例えば車載センサ群６３（図２参照）の車速センサから出力される車速を示す信号に基づき、車両１が走行中であるか否かを判定する。そして、操作受付部２１は、車両１が走行中であると判定された場合、すなわち、車速が０ではない場合、インデックスの選択操作に続く操作（ここでは曲名の選択、決定操作）の受け付けを一時的に禁止（保留）する（ステップＳ２３ａ）。
【０１０８】
なお、ここでは、インデックスの選択操作に続く操作の受け付けは禁止されるが、例えばＨＵＤ４１で選択操作を再度行ったり、ＨＵＤ４１で行われた操作の前の画面や上位の階層の操作に戻ったりすることはできるように構成してもよい。
【０１０９】
すなわち、変形例では、車両１走行時のユーザは、ＨＵＤ４１で操作可能な範囲の操作は引き続き行える一方、メータディスプレイ４２等での続く操作はできないようにした。例えば、操作受付部２１による操作の受け付けの禁止は、表示制御部２３を介してメータディスプレイ４２等に操作画面を表示させないようにしたり、または、グレーアウトで表示させたりするなど、ユーザが操作できない（操作に反応しない）状態にすることで行われるが、これらに限定されるものではない。
【０１１０】
このように、変形例にあっては、車両１の走行中はＨＵＤ４１から他のディスプレイ（ここではメータディスプレイ４２）への不用意な操作の引き継ぎが防止されるため、ユーザの注意が前方からそれてしまうことを防止することができる。
【０１１１】
また、表示制御装置１０の通知制御部２４（図２参照）は、図７の上図に示すように、例えば「これ以降の操作は、車が停止したときにメータディスプレイで行ってください」等、車両１を停止させれば以降の操作を行える旨の情報４１ａをＨＵＤ４１に表示させて、ユーザに通知してもよい。なお、上記では、情報４１ａをＨＵＤ４１に表示させるようにしたが、これに限られず、例えば引き継ぎ先のメータディスプレイ４２に表示させたり、スピーカ６６から音声で出力させたりしてもよい。
【０１１２】
これにより、変形例にあっては、ユーザに対して、車両１が走行中であるためにメータディスプレイ４２での操作の受け付けができなくなったことを認識させることが可能となる。
【０１１３】
次に、表示制御装置１０は、車両１が走行中ではないと判定された場合、言い換えると、例えば信号待ち等で車速がゼロになって車両１が停止していると判定された場合（ステップＳ２３ｂ）、ＨＵＤ４１で選択されたインデックスと対応する曲名候補の情報１４２ａをメータディスプレイ４２に表示させる（ステップＳ２４）。その後、表示制御装置１０は、ユーザによる曲名の選択および決定操作を受け付ける（ステップＳ２５）ことは、既に述べた通りである。
【０１１４】
＜７．変形例に係る表示制御装置の表示制御処理＞
次に、変形例に係る表示制御装置１０が表示装置４０の表示を制御する具体的な処理手順について図８を用いて説明する。図８は、変形例に係る表示制御装置１０が実行する処理手順を示すフローチャートである。表示制御装置１０の制御部２０は、ステップＳ３０〜Ｓ３２の処理を行った後、車両１が走行中であるか否かを判定する（ステップＳ３３ａ）。
【０１１５】
制御部２０は、車両１が走行中であると判定された場合（ステップＳ３３ａ，Ｙｅｓ）、メータディスプレイ４２におけるインデックスの選択操作に続く操作の受け付けを禁止する（ステップＳ３３ｂ）。
【０１１６】
次に、制御部２０は、車両１が停止したか否かを判定する（ステップＳ３３ｃ）。制御部２０は、車両１が停止してないと判定された場合（ステップＳ３３ｃ，Ｎｏ）、すなわち、車両１が走行中であると判定された場合、ステップＳ３３ｂ，Ｓ３３ｃの処理を繰り返す。
【０１１７】
他方、制御部２０は、車両１が停止したと判定された場合（ステップＳ３３ｃ，Ｙｅｓ）、すなわち、走行中ではないと判定された場合、禁止していたメータディスプレイ４２におけるインデックスの選択操作に続く操作の受け付けを許可する。具体的には、制御部２０は、選択されたインデックスの曲名候補に関する情報をメータディスプレイ４２に表示させ（ステップＳ３４）、曲名の選択および決定操作をメータディスプレイ４２を介して受け付ける（ステップＳ３５）。
【０１１８】
このように、変形例に係る表示制御装置１０にあっては、例えばＨＵＤ４１に対する操作を受け付けた後、車両１が走行中の場合、当該操作に続く操作をメータディスプレイ４２を介して受け付けることを禁止する一方、車両１が停止している場合、受け付けを許可するようにした。
【０１１９】
これにより、変形例にあっては、車両１の走行中はＨＵＤ４１から他のディスプレイ（例えばメータディスプレイ４２）へ操作が不用意に引き継がれて、ユーザの注意が前方からそれてしまうことを防止することができる。また、変形例にあっては、車両１が停止したとき、ユーザは速やかに続きの操作を行うことが可能になる。
【０１２０】
なお、上記した第２の実施形態と変形例とを組み合わせて構成してもよい。すなわち、例えば、ユーザの視線がＨＵＤ４１からメータディスプレイ４２へ移動したか否かを判定する処理（ステップＳ３３。図６参照）の後に、車両１が走行中であるか否かを判定する処理等のステップＳ３３ａ〜Ｓ３３ｃ（図８参照）を行うように構成してもよい。
【０１２１】
なお、上記では、ＨＵＤ４１およびメータディスプレイ４２に対して操作を行う場合を例に挙げたが、これに限定されるものではない。すなわち、第１、第２の実施形態および変形例は、例えばＨＵＤ４１およびセンタディスプレイ４３に対して操作を行う場合や、メータディスプレイ４２およびセンタディスプレイ４３に対して操作を行う場合などにも適用可能である。
【０１２２】
なお、上記において、メータディスプレイ４２が先に操作される場合は、メータディスプレイ４２が第１表示装置として機能し、その他の表示装置４０であるＨＵＤ４１またはセンタディスプレイ４３が第２表示装置として機能する。また、ＨＵＤ４１が先に操作される場合は、ＨＵＤ４１が第１表示装置として機能し、その他の表示装置４０であるメータディスプレイ４２またはセンタディスプレイ４３が第２表示装置として機能する。また、センタディスプレイ４３が先に操作される場合は、センタディスプレイ４３が第１表示装置として機能し、その他の表示装置４０であるＨＵＤ４１またはメータディスプレイ４２が第２表示装置として機能する。
【０１２３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２４】
１０  表示制御装置
２１  操作受付部
２２  視線検出部
２３  表示制御部
２４  通知制御部
４０  表示装置
４１  ヘッドアップディスプレイ（ＨＵＤ）
４２  メータディスプレイ
４３  センタディスプレイ
１００  表示システム
【図１Ａ】
2019016276.tif 000003
【図１Ｂ】
2019016276.tif 000004
【図２】
2019016276.tif 000005
【図３】
2019016276.tif 000006
【図４】
2019016276.tif 000007
【図５】
2019016276.tif 000008
【図６】
2019016276.tif 000009
【図７】
2019016276.tif 000010
【図８】
2019016276.tif 000011